(57)【特許請求の範囲】
【請求項１】
電話番号を入力する為の入力手段と、当該入力手段から入力された電話番号をダイヤル発信するダイヤル発信手段と、当該ダイヤル発信手段によるダイヤル発信を指示するダイヤル発信指示手段と、を有し、
前記入力手段により所定桁数の電話番号の入力があるまでは、前記ダイヤル発信指示手段によるダイヤル発信指示を無効にし、所定桁数の電話番号の入力が完了すると、前記ダイヤル発信指示手段によるダイヤル発信指示を有効にすることを特徴とする通信装置。
【発明の詳細な説明】
【技術分野】
【０００１】
本発明は、電話装置やファクシミリ装置等の通信装置に関するものである。
【背景技術】
【０００２】
近年の電話装置やファクシミリ装置等の通信装置の多くには、電話番号や氏名を表示する液晶表示装置が装備されている。
【０００３】
この表示装置には、ユーザがテンキーにより入力した電話番号や、リダイヤルメモリに記憶されている電話番号等を表示することができ、ユーザは発呼前にこの表示装置に表示されている電話番号を見ることにより、所望の相手先か否かを確認することができる。
【０００４】
又、特許文献１には、リダイヤルメモリに格納されている電話番号を表示する際に、電話番号に対応する氏名を表示させ、相手先がだれであるかをより分かり易くする技術が記載されている。
【特許文献１】特開平８−３２１８６７号公報
【発明の開示】
【発明が解決しようとする課題】
【０００５】
しかしながら、特許文献１記載の技術では、ユーザが、入力すべき桁数のダイヤル番号を入力しなければ氏名は表示されず、又、所望の電話番号の桁数未満の桁数の電話番号（或いは超える桁数の電話番号）を入力した場合には、ユーザは実際に相手先へ発呼し通話をするまで所望の相手先へダイヤルしたか否かわからない。
【課題を解決するための手段】
【０００６】
このような問題を回避するためには、所定の桁数の電話番号が入力されるまでは発呼操作があっても発呼をせず、所定の桁数の電話番号の入力が完了した時点で発呼操作があった場合に発呼を行う構成とする方が好ましい。このような構成とすることにより、ユーザが間違った相手先へ発呼する機会を低減することが可能だからである。
【０００７】
本発明はこのような課題を解決する為のものであり、請求項１記載の通信装置は、電話番号を入力する為の入力手段と、当該入力手段から入力された電話番号をダイヤル発信するダイヤル発信手段と、当該ダイヤル発信手段によるダイヤル発信を指示するダイヤル発信指示手段と、を有し、前記入力手段により所定桁数の電話番号の入力があるまでは、前記ダイヤル発信指示手段によるダイヤル発信指示を無効にし、所定桁数の電話番号の入力が完了すると、前記ダイヤル発信指示手段によるダイヤル発信指示を有効にすることを特徴とする。
【発明の効果】
【０００８】
本発明によれば、所定の桁数の電話番号が入力されるまで入力された電話番号へ発呼を行わない為、ユーザが不所望な電話番号へダイヤル発信させるといった事態を回避することが可能である。
【発明を実施するための最良の形態】
【００１４】
次に、本発明の一実施形態に係る携帯電話装置について、図面を参照して説明する。
【００１５】
図１及び図２は、本発明を適用してなる実施例装置（折畳式携帯電話装置）の斜視図である。
【００１６】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１７】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００１８】
図２は、図１に示す携帯電話装置１０の背面から見た斜視図であり、第２筐体１２０にアンテナ２と着信ランプ５７が搭載されている。
【００１９】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ（Ｒｅａｄ  Ｏｎｌｙ  Ｍｅｍｏｒｙ）３８と接続されており、ＲＯＭ３８に格納されているシステムプログラムに基づき各部を制御する。又、制御回路３６は所定時間（例えば、３０秒）の計時を行う。更に、制御回路３６にはバッファ３６１が搭載されており、このバッファ３６１には、テンキー４８から入力された電話番号が一時的に格納される。
【００２６】
また、制御回路３６は、ＲＡＭ（Ｒａｎｄｕｍ  Ａｃｃｅｓｓ  Ｍｅｍｏｒｙ）４０と接続されている。このＲＡＭ４０には、図６に示すように、電話番号の上数桁と該上数桁に対応する電話番号の桁数の情報が格納されている。
【００２７】
電話番号にも数々の電話番号があり、携帯電話の上３桁は、「０９０」であり、「０９０」に対応する電話番号の桁数は、１１桁である。又、１１９や１１０といった緊急の電話番号は上１桁が１であり、対応する電話番号の桁数は３桁である。更に、市内局番から始まる電話番号は、地方都市では２〜９から始まる番号の６桁である。又、市外局番から始まる電話番号は、上４桁が「０＊＊＊」（＊は０以外の数字）であり、対応する電話番号の桁数は、１０桁である。又、東京や大阪といった都市では、「０３」又は「０６」から始まる電話番号であり、対応する電話番号の桁数は１０桁である。
【００２８】
図６に示すように、ＲＡＭ４０には、携帯電話の電話番号（０９０＊＊＊＊＊＊＊＊（＊は０〜９の整数）と該電話番号に対応する桁数（１１桁）、緊急連絡先の電話番号（１＊＊（＊は０〜９の整数）と該電話番号に対応する桁数（３桁）、市外局番を除いた市内局番の電話番号（＊＊＊＊＊＊（＊は０〜９の整数、但し、１桁目のみ２〜９の整数））と該電話番号に対応する桁数（６桁）、市外局番のついた電話番号（０＊＊＊＊＊＊＊＊＊（＊は０〜９の整数））と該電話番号に対応する桁数（１０桁）が格納される。
【００２９】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００３０】
また、制御回路３６には、入力部４４が接続されている。この入力部４４は、電話番号等の入力を行うテンキー４８と、通話の開始を操作する通話キー５０と、通話の終了を操作する切キー５２と、クリアキー５４と、を有している。
【００３１】
バイブレータ５６は、振動により着信を報知する為のバイブレータである。
【００３２】
着信ランプ５７は、着信時に、着信を報知する為に点灯或いは点滅する。
【００３３】
更に、開閉検出部５５を有しており、前記開閉検出部５５は、筐体の開閉を検出する。
【００３４】
次に、本実施形態に係る携帯電話装置１０の作用について、図４に示すフローチャートに基づいて説明する。
【００３５】
図４のＳ１１ステップでは、制御回路３６は、入力部４４のテンキー４８から１桁目の番号が入力されたと判定するとＳ１２ステップへ処理を進める。尚、テンキー４８から電話番号が１桁入力されるごとに、ディスプレイ４２に電話番号が１桁づつ表示される。
【００３６】
Ｓ１２ステップでは、制御回路３６は、通話キー５０が押下されても相手側に発呼動作を行なわない状態となる。
【００３７】
続くＳ１３ステップでは、制御回路３６は、前記Ｓ１１ステップで入力された１桁目の電話番号が「１」であると判定すると、Ｓ１４ステップへ処理を進め、そうでなければＳ１５ステップへ処理を進める。
【００３８】
Ｓ１４ステップでは、制御回路３６は、バッファ３６１に電話番号が３桁であるという情報を格納させ、図５のＳ２６ステップへ処理を進める。
【００３９】
Ｓ１５ステップでは、制御回路３６は、前記Ｓ１１ステップで入力された１桁目の電話番号が「２」〜「９」の数字であると判定すると、Ｓ１６ステップへ処理を進め、そうでなければＳ１７ステップへ処理を進める。
【００４０】
Ｓ１６ステップでは、制御回路３６は、バッファ３６１に電話番号が６桁であるという情報を格納させ、図５のＳ２６ステップへ処理を進める。
【００４１】
Ｓ１７ステップでは、制御回路３６は、テンキー４８から２桁目の番号が入力されたと判定すると、Ｓ１９ステップへ処理を進め、そうでなければＳ１８ステップへ処理を進める。
【００４２】
Ｓ１８ステップでは、制御回路３６は、クリアキー５４が入力されたと判定すると、ディスプレイ４２の表示をクリアすると共にバッファ３６１に格納されている情報をクリアし、Ｓ１１ステップへ処理を戻し、そうでなければ、Ｓ１７ステップへ処理を戻す。
【００４３】
Ｓ１９ステップでは、制御回路３６は、前記Ｓ１７ステップで入力された２桁目の電話番号をバッファ３６１へ格納する。この時、バッファ３６１には、Ｓ１１ステップで入力された１桁目の電話番号とＳ１７ステップで入力された２桁目の電話番号が格納されている。
【００４４】
続くＳ２０ステップでは、制御回路３６は、テンキー４８から３桁目の電話番号が入力されたと判定すると、Ｓ２２ステップへ処理を進め、そうでなければＳ２１ステップへ処理を進める。
【００４５】
Ｓ２１ステップでは、制御回路３６は、クリアキー５４が入力されたと判定すると、ディスプレイ４２の表示をクリアすると共にバッファ３６１に格納されている情報をクリアし、Ｓ１１ステップへ処理を戻し、そうでなければ、Ｓ２０ステップへ処理を戻す。
【００４６】
Ｓ２２ステップでは、制御回路３６は、前記Ｓ２０ステップで入力された３桁目の電話番号をバッファ３６１に格納し、Ｓ２３ステップへ処理を進める。
【００４７】
Ｓ２３ステップでは、制御回路３６は、バッファ３６１に格納されている３桁目の電話番号が「０」であると判定するとＳ２４ステップへ処理を進め、そうでなければＳ２５ステップへ処理を進める。
【００４８】
Ｓ２４ステップでは、制御回路３６は、バッファ３６１に電話番号が１１桁であるという情報を格納させ、図５のＳ２６ステップへ処理を進める。
【００４９】
Ｓ２５ステップでは、制御回路３６は、バッファ３６１に電話番号が１０桁であるという情報を格納させ、図５のＳ２６ステップへ処理を進める。
【００５０】
このようにして、入力される電話番号の先頭の数桁から、携帯電話の電話番号か、市外局番からの電話番号か、市内局番からの電話番号か、緊急連絡先の電話番号かを判定し、判定した電話番号に対応する桁数をバッファ３６１に一時的に格納する。
【００５１】
続く動作を以下に説明する。
【００５２】
図５のＳ２６ステップでは、制御回路３６は、テンキー４８から続く番号の入力があると判定するとＳ２８ステップへ処理を進め、そうでなければ、Ｓ２７ステップへ処理を進める。
【００５３】
Ｓ２７ステップでは、制御回路３６は、クリアキー５４が入力されたと判定すると、ディスプレイ４２の表示をクリアするとともにバッファ３６１に格納されている電話番号と桁数の情報を消去し、図４のＳ１１ステップへ処理を戻し、そうでなければのＳ２６ステップへ処理を戻す。
【００５４】
Ｓ２８ステップでは、制御回路３６は、前記Ｓ２６ステップで入力された電話番号をバッファ３６１に格納し、Ｓ２９ステップへ処理を進める。
【００５５】
Ｓ２９ステップでは、制御回路３６は、バッファ３６１に格納されている桁数の電話番号が入力されたと判定するとＳ３０ステップへ処理を進め、そうでなければ、Ｓ２６ステップへ処理を戻す。
【００５６】
このように、Ｓ２６〜Ｓ２９ステップでは、バッファ３６１に格納されている桁数の電話番号が格納されるまで、テンキー４８の入力操作のたびに１桁づつ電話番号がバッファ３６１に格納される。
【００５７】
Ｓ３０ステップでは、制御回路３６は、所定の桁数の電話番号が入力されたことを報知する動作を行なう。例えば、制御回路３６が、ディスプレイ４２を制御することにより、電話番号の表示色を変化させたり、ディスプレイ４２にメッセージ（例えば、「正常に電話番号が入力されました」）を表示させたり、ディスプレイ４２のバックライトの色を変化させたり、スピーカ３４からブザー音やメロディ、音声メッセージ等を出力させたり、バイブレータ５６を振動させたり、着信ランプ５７を点灯或いは点滅させたりしても良い。
【００５８】
Ｓ３１ステップでは、制御回路３６は、通話キー５０の操作に応答してディスプレイ４２に表示されている電話番号（バッファ３６１に格納されている電話番号）を発呼可能な状態にし、Ｓ３２ステップへ処理を進める。
【００５９】
Ｓ３２ステップでは、制御回路３６は、通話キー５０の操作があると判定するとＳ３３ステップへ処理を進め、そうでなければＳ３４ステップへ処理を進める。
【００６０】
Ｓ３３ステップでは、制御回路３６は、電話通信部１２とベースバンド部１４を制御することにより、ディスプレイ４２に表示されている（バッファ３６１に格納されている）電話番号先へ発呼させる、発呼処理又は通話処理の終了後に、ディスプレイ４２の表示をクリアするとともにバッファ３６１に格納されている情報をクリアし、図４のＳ１１ステップへ処理を戻す。
【００６１】
Ｓ３４ステップでは、制御回路３６は、テンキー４８から番号の入力があると判定すると、Ｓ３５ステップへ処理を進め、そうでなければＳ３６ステップへ処理を進める。
【００６２】
Ｓ３５ステップでは、制御回路３６は、所定の桁数を超えた入力操作であることをユーザに報知する。具体的には、前記Ｓ３０ステップと同様に、ディスプレイ４２にメッセージを表示する事などがあげられる。その後、制御回路３６は、報知を終了し、Ｓ３２ステップへ処理を戻す。
【００６３】
Ｓ３６ステップでは、制御回路３６は、クリアキー５４が入力されたと判定すると、ディスプレイ４２の表示をクリアするとともにバッファ３６１に格納されている電話番号と桁数の情報を消去し、図４のＳ１１ステップへ処理を戻す。一方、クリアキー５４が入力されていなければ、Ｓ３２ステップへ処理を戻す。
【００６４】
このように図５に示す動作では、バッファ３６１に格納されている桁数の電話番号が入力されるとその旨を報知すると共に発呼可能な状態になり、又、バッファ３６１に格納されている桁数以上の電話番号の入力を禁止する為、ユーザが電話番号の桁数を間違って入力し発呼することを防止することができる。
【産業上の利用可能性】
【００６５】
本発明は、有線回線に接続された、留守番電話、コードレス電話の親機、ファクシミリ装置、パーソナルコンピュータに搭載された電話機能、或いは、無線回線に接続された携帯電話装置、ＰＨＳ（Ｐｅｒｓｏｎａｌ  Ｈａｎｄｙｐｈｏｎｅ  Ｓｙｓｔｅｍ）、コードレス電話の子機、ＰＤＡ（Ｐｅｒｓｏｎａｌ  Ｄｉｇｉｔａｌ  Ａｓｓｉｓｔａｎｔ）等にも利用することができる。
【図面の簡単な説明】
【００６６】
【図１】本発明を適用してなる実施例装置の斜視図である。
【図２】本実施例装置の斜視図である。
【図３】本実施例装置のブロック図である。
【図４】本実施例装置のフロー図である。
【図５】本実施例装置のフロー図である。
【図６】本実施例装置のＲＡＭ４９の格納形態である。
【符号の説明】
【００６７】
３６  制御回路
４０  ＲＡＭ
４２  ディスプレイ
４４  入力部
４８  テンキー
５０  通話キー
５２  切キー
【図１】
0004671620.tif 000002
【図２】
0004671620.tif 000003
【図３】
0004671620.tif 000004
【図４】
0004671620.tif 000005
【図５】
0004671620.tif 000006
【図６】
0004671620.tif 000007